(57)【要約】【課題】本発明は、本体を主として自然素材を用い、マイナスイオン効果、遠赤外線効果、消臭、防湿、清浄効果などがみられる竹炭を利用し、竹炭に強制的に空気を送り込み、攪拌することによって室内の空気を正常化することを課題としている。【解決手段】起動スィッチ１とプラグ２付きの電源コード３を配置し豆球１４を装着した基台４と、該基台４の上部に空気吸い込み口６を設けたガードプレート５で囲繞する格子部１６と、その上部に空気を拡散するファン付きのモータを内蔵しフイルタ９を載置する井げた状フイルタ載置部８やネット状フイルタ載置部を設けた空気拡散部７と、該空気拡散部７の外枠として、上方寄りにネット１３を配設しガードプレート５の格子部１６上に載置する外筒１１とで構成し、外筒１１のネット１３上に１５ｃｍ〜２０ｃｍ位に截断し総重量を約２５０ｇ程度とした竹炭１２を立設または臥設して用いることを特徴としている。【選択図】　図１
2004044998.tif 000002
【特許請求の範囲】
【請求項１】
起動スィッチとプラグ付きの電源コードを配置し豆球を装着した基台と、
該基台の上部に空気吸い込み口を設けたガードプレートで囲繞する格子部と、
その上部に空気を拡散するファン付きのモータを内蔵しフイルタを載置する井げた状やネット状などのフイルタ載置部を設けた空気拡散部と、
該空気拡散部の外枠として上方寄りにネットを配設しガードプレートの格子部上に載置する外筒とで構成し、外筒のネット上に１５ｃｍ〜２０ｃｍ位に截断し、総重量を約２５０ｇ程度とした竹炭を立設または臥設し、起動スィッチの起動でモータが駆動し、連設するファンにより空気吸い込み口から吸い込まれた汚染された空気が一次清浄化され、一次清浄化された空気は外筒に送り込まれ、立設または臥設された竹炭に接触させながらマイナスイオンを高めながら空気を清浄化することを特徴とする竹炭を用いた空気清浄器。
【発明の詳細な説明】
【０００１】
【発明の属する技術分野】
本発明は、本体を主として自然素材を用い、マイナスイオン効果、遠赤外線効果、消臭、防湿、清浄効果などがみられる竹炭を利用し、竹炭に強制的に空気を送り込み、攪拌することによって室内の空気を正常化するものである。
【０００２】
また、空気を清浄化するばかりか、自然風でアナログ的なイメージで、光と影の演出により、癒しインテリア感覚を表現したものである。
【０００３】
【発明が解決しようとする課題】
竹炭は純度の非常に高い炭素で、きれいな六角形をした多孔体として知られ、無数の孔には有効微生物が繁殖し、吸着した汚れや臭いの基になっている不純物や有害物質をきれいに分解してくれることから、室内におけるたばこの煙やホルムアルデヒドなどの有害物質の除去を図ることを課題とするものである。
【０００４】
【課題を解決するための手段】
本発明は、自然風でアナログ的なイメージで開発されたもので、図面に従って詳細に説明すると、起動スィッチ１とプラグ２付きの電源コード３を配置し豆球１４を装着した基台４と、該基台４の上部に空気吸い込み口６を設けたガードプレート５で囲繞する格子部１６と、その上部に空気を拡散するファン付きのモータを内蔵しフイルタ９を載置する井げた状フイルタ載置部８やネット状フイルタ載置部を設けた空気拡散部７と、該空気拡散部７の外枠として上方寄りにネット１３を配設しガードプレート５の格子部１６上に載置する外筒１１とで構成し、外筒１１のネット１３上に１５ｃｍ〜２０ｃｍ位に截断し総重量を約２５０ｇ程度とした竹炭１２を立設または臥設して用いることを特徴としている。
【０００５】
使用するに当たっては、電源コード３のプラグ２を電源に接続し、起動スィッチ１を操作すると、空気拡散部７のファン付きのモータが駆動し、モータ単体での最大風量として、０．６〜０．６８ｍ３／分で、空気吸い込み口６から室内のたばこの煙やホルムアルデヒドなどの有害物質が吸い込まれ、空気吸い込み口から吸い込まれた汚染された空気が一次清浄化され、一次清浄化された空気は外筒に送り込まれ、立設または臥設された竹炭に接触させながらマイナスイオンを高めながら空気を清浄化するようになっている。
【０００６】
空気拡散部７のファン付きのモータは、製品に組み入れた場合、内部のフィルタ９の介在により風量は弱くなるようになっている。
【０００７】
基台４には豆球１４を装着しているが、通常１０Ｗの豆球が用いられ、夜間はアンドン風に用いられるために、特に暗闇を嫌う幼児の寝室に用いることによって、ホルムアルデヒドなどの有害物質などの残渣の影響を解消し、暗闇による幼児の不安の解消にも役立っている。
【０００８】
基台４の上部に空気吸い込み口６を設けたガードプレート５で囲繞する格子部１６を設けているが、豆球１４の交換や格子部１６内に炭粉などが溜まった際にガードプレート５を外して点検掃除をするものであり、ガードプレート５は右側の凸部１７を外方向に押して外すようになっている。ガードプレート５を取りつけるにはプレート左端を格子部１６の溝部１５に差し込んでから、右側の凸部１５を強めに押し込んで取り付けるようになっている。
【０００９】
空気拡散部７には、その上部に空気を拡散するファン付きのモータを内蔵しフイルタ９を載置しているが、フイルタ載置部は井げた状フイルタ載置部８やネット状フイルタ載置部などとするが、空気拡散を阻害する構造を避け、空気の流通を妨げないようにしている。
【００１０】
空気拡散部７の外枠として外筒１１を冠設しているが、外筒１１の上方寄りに竹炭１２を載置するネット１３を配設し、空気拡散部７の上に載置することで構成しているが、ネット１３上に竹炭１２を立設または臥設して用いることにしている。
【００１１】
本発明に用いる竹炭は、１５ｃｍ〜２０ｃｍ位の長さに截断、総重量約２５０ｇを単位分割し、外筒のネット上にランダムに配置するばかりか、井げた状などに配置してもよく、竹炭の総重量は約２５０ｇ程度が最適である。
【００１２】
本発明に用いる竹炭の吸収表面積は、竹炭１ｇ当たり約３００ｃｍ２（約９０坪）以上となっていて、４０ｇで東京ドームがすっぽり入るくらいの広さ（約３６００坪）となっている。
【００１３】
また、カルシウム、ナトリウム、鉄分、天然ミネラルなど有効成分を豊富に含み、体に有害なプラスイオンを吸収し、マイナスイオンを高める働きがあり、これらが身体によい影響を与えるとされている。
【００１４】
さらに、ホルムアルデヒドなどを含め、新建材などの空気の汚れを吸収する働きがあり、お部屋にインテリアとして置くだけでも体をリラックスさせ、疲れを癒す生活空間の環境作りにも役立っている。
【００１５】
本発明に用いる竹炭の効果としては、空気中のマイナスイオン化を促進する仕組みがあり、高温で焼かれた炭はアルカリ性（ｐＨ９．５）で、空気中の水蒸気が一部分解してプラスイオンとマイナスイオンに分かれると、炭がプラスイオンを吸収し，結果的に空気中のマイナスイオンを増やすことになっている。
【００１６】
本発明における竹炭の空気清浄効果としては、実験の結果、タバコの煙の消失がみられ、竹炭をタバコの煙の中に入れた後、１５分後には、タバコの煙が消えてしまうことがみられ、閉め切った状態における竹炭がある部屋とない部屋での二酸化炭素の濃度を測定したところ、閉め切った部屋では、３４５０ｐｐｍ、閉め切った部屋に竹炭を置いた部屋では、１７１０ｐｐｍになっており、すぐれた空気清浄効果があることが判った。
【００１７】
【発明の効果】
本発明の効果としては、空気清浄効果のある竹炭を１５ｃｍ〜２０ｃｍ位の長さのものとし、外筒のネット上にランダムに配置することによって、空気清浄効果ばかりか、より自然感を生み出すという効果もみられる。
【００１８】
また、ホルムアルデヒドなどを含め、新建材などの空気の汚れを吸収する働きがあり、有害物質であるホルムアルデヒドの濃度の雰囲気においては、４分の１にまで減少している。
【００１９】
さらに、お部屋にインテリアとして置くだけでも体をリラックスさせ、疲れを癒す生活空間の環境作りにも役立っている。
【００２０】
また、基台４には豆球１４を装着し、夜間はアンドン風に用いられるために、特に暗闇を嫌う幼児の寝室に用いることによって、ホルムアルデヒドなどの有害物質などの残渣の影響を解消し、暗闇による幼児の不安解消にも役立っている。
【図面の簡単な説明】
【図１】本発明の竹炭を用いた空気清浄器の外観図。
【図２】本発明の基台に載置する空気拡散部の外観図。
【図３】本発明の外筒の概要図。
【符号の説明】
１．起動スィッチ
２．プラグ
３．電源コード
４．基台
５．ガードプレート
６．空気吸い込み口
７．空気拡散部
８．井げた状フィルタ載置部
９．フィルタ
１０．空気拡散部枠
１１．外筒
１２．竹炭
１３．ネット
１４．豆球
１５．溝部
１６．格子部
１７．凸部
【図１】
2004044998.tif 000003
【図２】
2004044998.tif 000004
【図３】
2004044998.tif 000005